(57)【要約】【課題】本考案は、ウェットスーツやドライスーツの生地として用いられるゴム、樹脂若しくはウレタン製のソリッドシート若しくはスポンジシートの伸縮性と密着性とを利用して、ペットボトル等の転倒防止用シートとする。【解決手段】ウェットスーツやドライスーツの生地として用いられるゴム、樹脂若しくはウレタン製のソリッドシート若しくはスポンジシートの内側の一部を切り取り、シートの伸縮性を利用して、その部分に容器を挿入して、シートを容器の底近くの側面周囲に、いわば鍔のように装着して、そのまま机や自動車のダッシュボード等に容器を置くと共にシートの裏面を机等と密着させることによって、容器が安定的に保持され、転倒を免れるとともに、少しの力でスライド移動ができるペットボトル等の容器転倒防止シートである。【選択図】図２
0003135136.tif 000002
【実用新案登録請求の範囲】
【請求項１】
挿入孔が設けられ、裏面側には吸着性があり、伸縮性があるゴム、樹脂若しくはウレタン製のソリッドシート若しくは表面側はニット地がラミネートされたスポンジシートである有底筒状容器の転倒防止シート
【請求項２】
スポンジシートの裏面には、界面活性剤入りの塗料が塗布されており、若しくはポリウレタン加工がされている請求項１の有底筒状容器の転倒防止シート
【請求項３】
シートには、１または複数の小孔、若しくは切れ目が設けられている請求項１若しくは２の有底筒状容器の転倒防止シート
【請求項４】
シートの表面には、模様、絵、文字若しくはこれらが組み合わせられて表示される請求項１〜３のいずれかの有底筒状容器の転倒防止シート
【考案の詳細な説明】
【技術分野】
【０００１】
本考案は、ペットボトル、飲料缶等の有底筒状容器の転倒防止用シートに関する。
【背景技術】
【０００２】
机上にペットボトル等を置きながら作業をしている際に、誤ってペットボトルを倒して中の液体をこぼしてしまったりし、特にパソコンなどに液体が掛かるとパソコンを損傷するおそれがある。また自動車内のダッシュボードなどでペットボトルを固定しておくことができれば便利である。しかしながら、このようなペットボトル等の容器を転倒させないような簡単が構造の器具はほとんど見当たらなかった。
【考案の開示】
【考案が解決しようとする課題】
【０００３】
机等に一時的に定着させる手段としては、例えば、底を吸盤として机上に吸着固定させる容器にペットボトルを収納することは考えつくところである。
しかしながら、これでは別途そのような容器を製作しなければならず製作のための費用も手間も掛かる。
また、この構造では、吸盤を机から剥がすのに力も必要であるし、一度吸着されてしまうと、吸着した場所が邪魔になっても、吸盤を剥がして、もう一度別の箇所に吸着し直さなければならず、そのまま横にスライドして移動できないなどの不便さもある。
【０００４】
このようなことから、簡単な構造であり、且つすでにある素材をそのまま利用できれば製作にも手間が掛からず、したがって安価に製作ができ、しかも容易な操作で確実に機能を発揮し、使用しないときには邪魔にならないペットボトル等の容器の転倒防止具が望まれるところである。
【課題を解決するための手段】
【０００５】
そこで、本考案者は、係る課題を解決するために鋭意研究をしたところ、ウエットスーツやドライスーツの生地として用いられているソリッドシート若しくはスポンジシートの伸縮性と物に密着する性質に着目して、これをペットボトル等の容器の転倒防止具として利用することを考案した。
【０００６】
すなわち、ウェットスーツの生地としては、ゴム、樹脂若しくはウレタン製のシートが用いられているが、これには（Ａ）単板であるソリッドシートと（Ｂ）中に気泡があるスポンジシートがあり、（Ｂ）のスポンジシートには、表面側はニット地をラミネートし、裏面はゴム素材そのままであって平滑な状態であるものと（Ｃ）界面活性剤入りの塗料を塗布したもの、ポリウレタンフィルムシートをラミネートしたポリウレタン加工のものとがある。
【０００７】
これらの素材は、伸縮性が十分にあると共に、ソリッドシート及びスポンジシートのままで平滑な状態にあるものは、これを平滑面に密着させるとそのまま吸着する性質があり、また、そこに界面活性剤入りの塗料を塗布したものやポリウレタン加工のものでは、平滑面に密着させるとこれに吸着する性質はそのままで、同時に横に力を加えると、少しの力で滑りやすく、密着したままでスライドして移動できる性質がある。
【０００８】
そこで、本考案では、これらの性質を利用して、ウェットスーツ地をそのまま型抜きをして、容器の底近くにはめ込む穴をもうけて、シートを底近くに丁度鍔をはめ込んだ状態で装着してシートを机などに密着させて、シートの吸着性によって容器を倒れないようにすると共に、界面活性剤入りの接着剤を塗布したり、既述の通りのポリウレタン加工をしているシートの場合には、そのままスライドして移動できるようにしたものであり、さらに一度密着したシートを剥がし易いようにしたものである。
【０００９】
すなわち、本願考案の第１は、挿入孔が設けられ、裏面側には吸着性があり、伸縮性があるゴム、樹脂若しくはウレタン製のソリッドシート若しくは表面側はニット地がラミネートされたスポンジシートである有底筒状容器の転倒防止シートである。
【００１０】
また、本考案の第２は、スポンジシートの裏面には、界面活性剤入りの塗料が塗布され、若しくはポリウレタン加工がされている本考案の第１に記載された有底筒状容器の転倒防止シートである。
【００１１】
さらに、本考案の第３は、シートには、１または複数の小孔、若しくは切れ目が設けられている本考案第１若しくは本考案第２の有底筒状容器の転倒防止シートである。
【００１２】
さらにまた、本考案の第４は、シートの表面には、模様、絵、文字若しくはこれらが組み合わせられて表示される本考案の第１〜３のいずれかの有底筒状容器の転倒防止シートである。
【考案の効果】
【００１３】
本考案によれば、ウェットスーツやドライスーツの生地として使用されるソリッドシート若しくはスポンジシートをそのまま用いて、型抜きをしたままで製造できる。
ウェットスーツやドライスーツの製造過程で大量にでる、いわゆる端切れを有効に利用できる。
容器への装着も、机などの密着も簡単である。
スポンジシートの裏面に界面活性剤入りの塗料を塗布し、若しくはポリウレタン加工がされているたシートでは、机等に密着した状態でスライドして移動ができので、移動をしたいときにいちいち外す必要がない。
小孔やスリットという僅かな加工で、机等からの密着状態から開放して外すことが容易である。
薄く伸縮性のあるシートであるから、収納が容易で邪魔にならない。
形が自由に選択できる。
シート表面に印刷をして、商品の景品や販売促進用として利用できる。机等の上に置かれているのであるから、常に目にするものであり、宣伝効果が高いといえる。
【実施例１】
【００１４】
以下、添付図面に従って、実施例の有底筒状容器の転倒防止用シートについて説明する。
図１は、本考案に係る有底筒状容器の転倒防止シートの斜視図であり、円形のシート１の中央には容器を通して容器側面に装着するための円形の挿入孔２が設けられている。
シート１は、ゴム、樹脂、若しくはウレタン製の単板のソリッドシート若しくは表面はニット地をラミネートしたゴム、樹脂、若しくはウレタン製のスポンジシートからなっている。
【００１５】
ところで、図３は、各素材のシートの断面図を表す。図３（Ａ）は、ゴム、樹脂、若しくはウレタン製の単板のソリッドシート１ａのみからなるもの、同（Ｂ）は表面がニット地１ｃがラミネートされたゴム、樹脂、若しくはウレタン製のスポンジシート１ｂで、裏面は加工されていないシートのままのもの、同（Ｃ）は、表面がニット地１ｃがラミネートされたスポンジシート１ｂで、裏面に界面活性剤入りの塗料が塗布され、若しくはポリウレタンフィルム１ｄをラミネートしたポリウレタン加工がされていて滑りがよくされているものである。
【００１６】
本実施例では、図３（Ａ）と（Ｂ）のシート、すなわち、裏面がシートのままの平滑面を持つタイプのものを用いるものである。
【００１７】
本実施例では、３３０ミリリットルもしくは５００ミリリットル入りのペットボトルに装着する場合であれば、シート１の直径は１２ｃｍ、内側の挿入孔２の直径は２．３〜２．５ｃｍあればシート１の伸縮性によって、ペットボトルＰを挿入孔２から挿入してシート１を装着できるし、シート１自体にこれだけの接地面積があれば、ペットボトルが転倒することはないが、シート１や挿入孔２の大きさは、装着する容器の大きさによって、適宜の大きさのものを自由に選択することでよい。シート１の厚さは、３ｍｍでよい。
また、挿入孔２は、円形であることは必ずしも必要ではないが、強度や使いやすさから円形が最適といえる。
【００１８】
図２は、本実施例による図１のシート１をペットボトルＰに装着した状態を示す斜視図である。
このように容器に装着をして用いることで、シート１の吸着性によって転倒をすることがない。
なお、本考案の転倒防止用シートは、ペットボトルＰに限るものではなく、挿入孔２に挿入可能な容器であれば、どのような容器にも使用できるものである。
【００１９】
ニット地１ｃには、図示されてはいないが、着色も、また文字、模様、絵を印刷することもできるので、カラフルなシート１を作成でき、また適宜印刷をして販売促進用の景品として用いることもできる。
【実施例２】
【００２０】
実施例２は、図３（Ｃ）に示した裏面に界面活性剤入りの塗料を塗布し、若しくはポリウレタン加工をしたタイプのウエットスーツ若しくはドライスーツ用の素材を用いたものである。
使用方法は、実施例１の場合と異ならないが、裏面に塗布された界面活性剤入り塗料、若しくはポリウレタン加工によって、少し力をくわえただけでペットボトル等に装着したままで転倒防止用シートが机等に吸着した状態でそのままスライドし移動することができる。
机や自動車のダッシュボード等の端まで移動して、シートの一部でも机等から外れれば簡単に転倒防止用シートを密着面から外すことができる。
【実施例３】
【００２１】
図４は、シートに小孔３を設け、図５はスリット４を設けたものである。
シート１と机等の間の吸着状態を解くためには、空気をシート１と机等の間に少しでも入り込むようにすればよいわけであるので、容器Ｐを持ち上げつつシート１を少し引き上げて、これらの小孔３及びスリット４から空気が容易に入り込みやすくして、シート１を机等から引きはがしやすいようにしているものである。
スリット４は、図５にあるようにシート１の外形に沿って円弧状のスリットと、ここから内側に向かって直線のスリットを設け、ちょうど逆「Ｔ」字状の形状としたものである。
小孔３及びスリット４の形状も数も大きさも、この実施例に限られるものではなく、任意に選択することができる。
【実施例４】
【００２２】
シート１の形状は自由に成型できる。円形である必要性は必ずしもない。例えば図６、図７はそれぞれハート、星型のものである。これらの形状でも吸着性は十分である。
なお、ハート形では周縁の凹んだ部分を中心としてシートを引き上げると、底の部分から離れて空気が入り込みやすく、シートを剥がしやすい。また星形では出っ張った部分を折り返すとそこから容易に剥がしやすくなるという利点がある。出っ張り部分の１つでも予め少し折り返して成型をしておけば、そこの部分から引き上げることによって、さらに容易に全体の密着を解くことができる。
したがって、以上の例にならって、切り込みや出っ張り部分を任意に形成した任意な形のシートを用いることが可能である。
これらの場合でも転倒防止用シートの大きさと挿入孔は実施例１に準じることで十分効果があり、またシートの厚さは３ｍｍでよい。
【図面の簡単な説明】
【００２３】
【図１】転倒防止用シートの斜視図
【図２】転倒防止用シートをペットボトルに装着した状態を示す斜視図
【図３】スポンジシート及びソリッドシートの断面図
【図４】転倒防止用シートの斜視図
【図５】転倒防止用シートの斜視図
【図６】転倒防止用シートの斜視図
【図７】転倒防止用シートの斜視図
【符号の説明】
【００２４】
１・・・シート
１ａ・・ソリッドシート
１ｂ・・スポンジシート
１ｃ・・ニット地
１ｄ・・界面活性剤入りの塗料、若しくはポリウレタンフィルム
２・・・挿入孔
３・・・小孔
４・・・スリット
Ｐ・・・ペットボトル
【図１】
0003135136.tif 000003
【図２】
0003135136.tif 000004
【図３】
0003135136.tif 000005
【図４】
0003135136.tif 000006
【図５】
0003135136.tif 000007
【図６】
0003135136.tif 000008
【図７】
0003135136.tif 000009